(57)【要約】      （修正有）【課題】あらゆるカメラヘッドに合わせるために、各機器それぞれの内部に機能切り替えスイッチを備えているテレビカメラにおいて、各機器の設定が合わない場合でも、接続されている全ての機器でテレビカメラを構成する各機器の機能切り替えスイッチ設定状態を確認可能とする。【解決手段】各機器のＣＰＵを介して、接続されている全ての機器の機能切り替えスイッチの設定状態を常に伝達させる。また、各機器が設置された場所でモニタリングする。【選択図】図２
2012151590.tif 000002
【特許請求の範囲】
【請求項１】
撮影スタジオに設置されたテレビカメラ本体、ラック室に設置されたＣＣＵ、並びに、調整室に設置されたＲＣＵおよびＳＣＵを備えたテレビカメラにおいて、
前記テレビカメラ本体、前記ＣＣＵ、前記ＲＣＵ、および前記ＳＣＵは、それぞれ、メニュー操作スイッチ回路と、機能切り替えスイッチ回路と、ＣＰＵと、表示装置を有し、
前記ＣＣＵのＣＰＵは、前記テレビカメラ本体のＣＰＵ、前記ＲＣＵのＣＰＵおよび前記ＳＣＵのＣＰＵと相互に通信ケーブルで接続され、
前記テレビカメラ本体、前記ＣＣＵ、前記ＲＣＵ、および前記ＳＣＵそれぞれのＣＰＵは、それぞれの前記テレビカメラ本体、前記ＣＣＵ、前記ＲＣＵ、および前記ＳＣＵの機能切り替えスイッチの設定状態の最新の情報を読み取り保持し、他の機器のＣＰＵに前記設定状態の情報を出力し、
前記表示装置は、前記それぞれのＣＰＵから出力された前記機能切り替えスイッチの設定状態の最新の情報を表示することを特徴とするテレビカメラ。
【発明の詳細な説明】
【技術分野】
【０００１】
本発明は、テレビカメラに関わり、特にテレビカメラを構成する各機器から、接続されている全ての機器内部の機能切り替えスイッチの設定状態を確認できるテレビカメラに関する。
【背景技術】
【０００２】
テレビカメラにおいて、テレビカメラを構成する機器内部の切り替えスイッチの設定状態を確認するには、機器内部の基板を取り出して目視や機器単独メニューで確認していた（例えば、特許文献１参照。）。
【先行技術文献】
【特許文献】
【０００３】
【特許文献１】特開２００７−８１５０５号公報
【発明の概要】
【発明が解決しようとする課題】
【０００４】
従来のテレビカメラでは、特許文献１に記載のように、カメラヘッド側の制御部から操作された場合には、ビューファインダ（以下、ＶＦと称する）の表示画面にビューファインダ調整メニューが表示され、カメラコントロールユニット（以下、ＣＣＵと称する）側の制御装置から操作された場合には、映像モニタの表示画面に映像調整メニューが表示さる。
上記のような従来のテレビカメラにおいては、あらゆるカメラヘッドに合わせるために、各テレビカメラ内部に機能切り替えスイッチを備えているものがある。しかし、各機器の設定がテレビカメラに合わないと、異常現象が起きてしまう。その場合には、テレビカメラの設置場所に行き、各テレビカメラ本体（カメラヘッド）毎に、基板を取り出して確認する、または、メニューソフトを確認する、または、機能切り替えスイッチの設定状態を確認する、等の必要があった。
本発明の目的は、上記のような問題に鑑み、接続されている機器であればどこでもテレビカメラを構成する各機器の機能切り替えスイッチ設定状態を確認することができるテレビカメラを提供するものである。
【課題を解決するための手段】
【０００５】
上記の目的を達成するため、本発明のテレビカメラは、撮影スタジオに設置されたテレビカメラ本体、ラック室に設置されたＣＣＵ、並びに、調整室に設置されたＲＣＵおよびＳＣＵを備えたテレビカメラにおいて、前記テレビカメラ本体、前記ＣＣＵ、前記ＲＣＵ、および前記ＳＣＵは、それぞれ、メニュー操作スイッチ回路と、機能切り替えスイッチ回路と、ＣＰＵと、表示装置を有し、前記ＣＣＵのＣＰＵは、前記テレビカメラ本体のＣＰＵ、前記ＲＣＵのＣＰＵおよび前記ＳＣＵのＣＰＵと相互に通信ケーブルで接続され、前記テレビカメラ本体、前記ＣＣＵ、前記ＲＣＵ、および前記ＳＣＵそれぞれのＣＰＵは、それぞれの前記テレビカメラ本体、前記ＣＣＵ、前記ＲＣＵ、および前記ＳＣＵの機能切り替えスイッチの設定状態の最新の情報を読み取り保持し、他の機器のＣＰＵに前記設定状態の情報を出力し、前記表示装置は、前記それぞれのＣＰＵから出力された前記機能切り替えスイッチの設定状態の最新の情報を表示するものである。
【発明の効果】
【０００６】
本発明によれば、テレビカメラを構成する各機器が設置されたいかなる場所からも、接続されている全ての機器の機能切り替えスイッチの設定状態を確認することができる。また、各機器のＣＰＵを介して、接続されている全てのシステム機器の機能切り替えスイッチの設定状態を、各機器でモニタリングすることができる。
【図面の簡単な説明】
【０００７】
【図１】本発明のテレビカメラの一般的なシステム系統を説明するための模式図である。
【図２】本発明のテレビカメラの一実施例を説明するための簡単なブロック図である。
【図３】本発明のテレビカメラのＶＦの表示画面に表示される各機器のメニュー操作スイッチ回路の設定状態の一実施例を示す図である。
【発明を実施するための形態】
【０００８】
以下、本発明を実施例によって詳細に説明する。しかし、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
また、明細書全体を通して、ある部分がある構成要素を「含む」とする時、特に反対の記載がない限り、他の構成要素を除外するのではなく、他の構成要素もさらに含むことができることを意味する。
本発明のテレビカメラにおいては、各機器（テレビカメラ本体、ＣＣＵ、ＲＣＵ、およびＳＣＵ）は、あらゆるシステムに対応できるように、各機器内部に機能切り替えスイッチを有している。この機能切り替えスイッチの設定状態を確認するために、本発明のテレビカメラは、各機器のＣＰＵを介して、接続されている全ての機器の機能切り替えスイッチの設定状態を常に伝達させる。また、各機器が設置された場所でモニタリングするものである。
【０００９】
図１は、本発明のテレビカメラの一般的なシステム系統を説明するための模式図である。１００はテレビカメラ、１０１は設置場所の１つである撮影スタジオ、１０２は撮影スタジオ１０１内に設置されたテレビカメラ本体、１０３は撮影スタジオ１０１内に設置され、テレビカメラ本体１０２に接続されたＶＦ（ビューファインダ）、１０５は設置場所の１つであるラック室、１０６はラック室１０５内に設置されたＣＣＵ、１０７はラック室１０５内に設置され、ＣＣＵ１０６に接続されたモニタ、１０４は撮影スタジオ１０１内に設置されたテレビカメラ本体１０２とラック室１０５内に設置されたＣＣＵ１０６とを接続する通信ケーブル、１０８は設置場所の１つである調整室、１０９は調整室１０８に設置されたＲＣＵ（リモートコントロールユニット：Remote Control Unit）、１１０は調整室１０８に設置されたＳＣＵ（セットアップコントロールユニット：Setup Control Unit）、１１１はラック室１０５内に設置されたＣＣＵ１０６と調整室１０８内に設置されたＲＣＵ１０９とを接続する通信ケーブル、１１２はラック室１０５内に設置されたＣＣＵ１０６と調整室１０８内に設置されたＳＣＵ１１０とを接続する通信ケーブルである。
【００１０】
図１のテレビカメラ１００において、撮影スタジオ１０１に設置されたテレビカメラ本体１０２は、撮影スタジオ１０１の被写体（図示しない）を撮影し、撮影した映像信号をＶＦ１０３に出力する。またテレビカメラ本体１０２は、該撮影した映像信号を、通信ケーブル１０４を介してＣＣＵ１０６に出力する。ＶＦ１０３は、入力された映像信号を表示画面に映像として表示する。なお、撮影スタジオ１０１にいるカメラマン（図示しない）は、ＶＦ１０３の表示画面を見ながら、テレビカメラ本体１０２およびＶＦ１０３を操作して、画角、焦点、絞り等の調整を行う。
【００１１】
また、ラック室５に設置されているＣＣＵ１０６は、通信ケーブル４を介して入力された映像信号をモニタ１０７に出力する。またＣＣＵ１０６は、該入力された映像信号を、通信ケーブル１１０を介してＲＣＵ１０９に出力し、かつ、通信ケーブル１１１を介してＳＣＵ１１０に出力する。モニタ１０７は、入力された映像信号を表示画面に映像として表示する。同様に、ＲＣＵ１０９とＳＣＵ１１０は、それぞれ入力された映像信号を表示画面に映像として表示する。なお、調整室にいるビデオエンジニアは、モニタ１０７の表示画面を見ながら、ＲＣＵ１０９およびＳＣＵ１１０を操作して、ＣＣＵ１０６およびテレビカメラ１０１を制御し、画質等の映像調整を行う。
例えば、ビデオエンジニアは、ＳＣＵ１１０を操作し、ＳＣＵ１１０から、ＣＣＵ１０６を制御するためのコントロール信号が出力され、ＣＣＵ１０６、通信ケーブル１０４を介してテレビカメラ本体１０２に出力される。テレビカメラ本体１０２は、入力された該コントロール信号に応じて制御される。同様に、例えば、ビデオエンジニアは、ＲＣＵ１０９を操作し、ＲＣＵ１０９から、ＣＣＵ１０６を制御するためのコントロール信号が出力され、ＣＣＵ１０６、通信ケーブル１０４を介してテレビカメラ本体１０２に出力される。テレビカメラ本体１０２は、入力された該コントロール信号に応じて制御される。
【００１２】
図２は、本発明のテレビカメラの一実施例において、テレビカメラを構成する各機器の機能切り替えスイッチ設定状態を、各機器の設置場所でモニタリングする機能を説明するための簡単なブロック図である。２００は本発明のテレビカメラ、２０１は撮影スタジオ内に設置されたテレビカメラ本体、２０２はテレビカメラ本体２０１の機能切り替えスイッチ回路、２０３はテレビカメラ本体２０１のメニュー操作スイッチ回路、２０４はテレビカメラ本体２０１のＣＰＵ、２０５は撮影スタジオ内に設置され、テレビカメラ本体２０１に接続されたＶＦ、２０６はラック室内に設置されたＣＣＵ、２０７はＣＣＵ２０６の機能切り替えスイッチ回路、２０８はＣＣＵ２０６のメニュー操作スイッチ回路、２０９はＣＣＵ２０６のＣＰＵ、２１０はラック室内に設置され、ＣＣＵ２０６に接続されたモニタ、２１１は調整室に設置されたＲＣＵ、２１２はＲＣＵ２１１の機能切り替えスイッチ回路、２１４はＲＣＵ２１１のメニュー操作スイッチ回路、２１３はＲＣＵ２１１のＣＰＵ、２１５はＲＣＵ２１１の表示装置、２１６は調整室に設置されたＣＣＵ、２１７はＣＣＵ２１６の機能切り替えスイッチ回路、２１９はＣＣＵ２１６のメニュー操作スイッチ回路、２１８はＣＣＵ２１６のＣＰＵ、２２０はＲＣＵ２１１の表示装置である。表示装置２１５および２２０は、例えば、液晶パネルである。
【００１３】
図２において、まず、テレビカメラ２００に電源が供給されると共に、テレビカメラ本体２０１では、ＣＰＵ２０４は、機能切り替えスイッチ回路２０２の設定状態を読み取り、読み取った設定状態を保持する。また、ＣＰＵ２０４は、電源が供給された後は、機能切り替えスイッチ回路２０２の設定状態を常に監視し、最新の設定状態を保持する。同様に、ＣＣＵ２０６では、ＣＰＵ２０９は、機能切り替えスイッチ回路２０７の設定状態を読み取り、読み取った設定状態を保持する。また、ＣＰＵ２０９は、電源が供給された後は、機能切り替えスイッチ回路２０７の設定状態を常に監視し、最新の設定状態を保持する。また同様に、ＲＣＵ２１１では、ＣＰＵ２１３は、機能切り替えスイッチ回路２１４の設定状態を読み取り、読み取った設定状態を保持する。また、ＣＰＵ２１３は、電源が供給された後は、機能切り替えスイッチ回路２０７の設定状態を常に監視し、最新の設定状態を保持する。また同様に、ＳＣＵ２１６では、ＣＰＵ２１８は、機能切り替えスイッチ回路２１９の設定状態を読み取り、読み取った設定状態を保持する。また、ＣＰＵ２１８は、電源が供給された後は、機能切り替えスイッチ回路２１９の設定状態を常に監視し、最新の設定状態を保持する。
【００１４】
次に、各機器の設置場所での機能切り替えスイッチの設定状態を確認する方法を以下に説明する。
図２において、テレビカメラ本体２０１が設置してある場所（例えば、映像スタジオ）では、カメラマンがテレビカメラ本体２０１のメニュー操作スイッチ回路２０３を操作に応じて、メニュー操作スイッチ回路２０３は、所定のスイッチ信号をＣＰＵ２０４に出力する。ＣＰＵ２０４は、入力された所定のスイッチ信号を読み取ると、ＣＣＵ２０６のＣＰＵ２０９が保持している機能切り替えスイッチ回路２０７の設定状態を読み出すコマンド信号をＣＣＵ２０６のＣＰＵ２０９に出力する。
【００１５】
ＣＣＵ２０６のＣＰＵ２０９は、ＣＰＵ２０４からの当該コマンド信号の入力に応じて、保持していた機能切り替えスイッチ回路２０７の設定状態をテレビカメラ本体２０１のＣＰＵ２０４に送信する。また、ＣＣＵ２０６のＣＰＵ２０９は、当該コマンド信号を読み取ると、ＲＣＵ２１１のＣＰＵ２１３が保持している機能切り替えスイッチ回路２１４の設定状態を読み出すコマンド信号をＲＣＵ２１１のＣＰＵ２１３に出力すると共に、ＳＣＵ２１６のＣＰＵ２１８が保持している機能切り替えスイッチ回路２１９の設定状態を読み出すコマンド信号をＲＣＵ２１６のＣＰＵ２１８に出力する。
【００１６】
ＲＣＵ２１１のＣＰＵ２１３は、ＣＰＵ２０９からの当該コマンド信号の入力に応じて、保持していた機能切り替えスイッチ回路２１４の設定状態をＣＣＵ２０６のＣＰＵ２０９に送信する。同様に、ＳＣＵ２１６のＣＰＵ２１８は、ＣＰＵ２１６からの当該コマンド信号の入力に応じて、保持していた機能切り替えスイッチ回路２１９の設定状態をＣＣＵ２０６のＣＰＵ２０９に送信する。
ＣＣＵ２０６のＣＰＵ２０９は、ＲＣＵ２１１のＣＰＵ２１３から入力された機能切り替えスイッチ回路２１４の設定状態と、ＳＣＵ２１６のＣＰＵ２１８から入力された機能切り替えスイッチ回路２１８の設定状態を、テレビカメラ本体２０１のＣＰＵ２０４に出力する。
【００１７】
テレビカメラ本体２０１のＣＰＵ２０４は、入力された、各機器のＣＰＵ（ＣＣＵ２０６のＣＰＵ２０９、ＲＣＵ２１１のＣＰＵ２１３、およびＳＣＵ２１４のＣＰＵ２１８）から送られた、各機器のメニュー操作スイッチ回路（メニュー操作スイッチ回路２０７、２１４、２１９）の設定状態をＶＦ２０５に出力する。ＶＦ２０５は、入力された各機器のメニュー操作スイッチ回路の設定状態を表示画面に表示する。
【００１８】
表示画面の一実施例を図３に示す。図３は、本発明のテレビカメラのＶＦの表示画面に表示される各機器の設定状態の一実施例を示す図である。
図３（ａ）は、テレビカメラ２００に接続している全ての機器（テレビカメラ本体２０１、ＣＣＵ２０６、ＲＣＵ２１１およびＳＣＵ２１６）の設定状態の画面３０１が表示される。なお、この画面は、表示された機器のいずれかを選択するための画面３０１でもある。
図３（ｂ）は、テレビカメラ本体２０１に接続している各機器における機能切り替えスイッチのある基板の設定状態の画面３０２が表示される。なお、この画面３０２は、表示されたいずれかの基板を選択するための画面でもある。
図３（ｃ）は、各基板にある機能切り替えスイッチの設定状態の画面３０３が表示される。なお、この画面３０３は、表示された基板のいずれかの機能切り替えスイッチを選択するための画面でもある。
図３（ｄ）は、各基板の各機能切り替えスイッチのスイッチ１（ＳＷ１）の設定状態の画面３０４が表示される。なお、この画面３０４は、表示された基板の設定状態を変更するための画面でもある。
【００１９】
上述の図３と同様に、ＣＣＵ２０６を設置している場所では、モニタ２１０に、図３（ａ）の画面３０１のように接続している全ての機器の設定状態の画面および各機器における選択画面が表示され、図３（ｂ）の画面３０２のように各機器の設定状態の画面および各機器における機能切り替えスイッチのある基板の選択画面が表示され、図３（ｃ）の画面３０３のように各基板にある機能切り替えスイッチの設定状態の画面および各基板における機能切り替えスイッチの選択画面が表示され、自３（ｄ）画面３０４のように各基板の機能切り替えスイッチの設定状態の画面および各基板における機能切り替えスイッチのいずれかのスイッチの選択画面が表示される。
【００２０】
また、上述の図３と同様に、ＲＣＵ２１１を設置している場所では、液晶パネル２１５に、ＳＣＵ２１６を設置している場所では、液晶パネル２２０に、各々接続されている機器の機能切り替えスイッチの設定状態のメニュー画面および選択画面を表示する。
【００２１】
以上のように本発明を用いると、テレビカメラの各システム機器設置場所から接続されている、各システム機器の機能切り替えスイッチ設定状態を確認することができる。
【００２２】
なお、図１〜図３の実施例において、撮影スタジオ、ラック室、および調整室は、それぞれ、遠隔に存在する空間であり、例えば、音声や音響が相互に伝達不可能に区切られた空間であれば良い。さらに、それらの空間の撮影スタジオは、ラック室や調整室と相互に照明の影響が小さいか無い空間であれば良い。
【００２３】
上述の実施例によれば、テレビカメラの各システム機器内部の機能切り替えスイッチの状態は、常に監視され、最新の設定状態の情報が、各機器それぞれに保持されるので、テレビカメラの各システム機器の設置場所それぞれで、機能切り替えスイッチの設定状態を読み込むメニュー操作をするたびに、最新の設定状態が迅速かつ容易に分かる。この結果、遠隔の設置場所における設定変更があった場合でも、最新の設定状態が迅速かつ容易に分かる。
【符号の説明】
【００２４】
１００：テレビカメラ、  １０１：撮影スタジオ、  １０２：テレビカメラ本体、  １０３：ＶＦ（ビューファインダ）、  １０４：通信ケーブル、  １０５：ラック室、  １０６：ＣＣＵ、  １０７：モニタ、  １０８：調整室、  １０９：ＲＣＵ、  １１０：ＳＣＵ、  １１１、１１２：通信ケーブル、  ２００：テレビカメラ、  ２０１：テレビカメラ本体、  ２０２：機能切り替えスイッチ回路、  ２０３：メニュー操作スイッチ回路、  ２０４：ＣＰＵ、  ２０５：ＶＦ、  ２０６：ＣＣＵ、  ２０７：機能切り替えスイッチ回路、  ２０８：メニュー操作スイッチ回路、  ２０９：ＣＰＵ、  ２１０：モニタ、  ２１１：ＲＣＵ、  ２１２：機能切り替えスイッチ回路、  ２１３：ＣＰＵ、  ２１４：メニュー操作スイッチ回路、  ２１５：表示装置、  ２１６：ＣＣＵ、  ２１７：機能切り替えスイッチ回路、  ２１８：ＣＰＵ、  ２１９：メニュー操作スイッチ回路、  ２２０：表示装置、  ３０１〜３０４：画面。
【図１】
2012151590.tif 000003
【図２】
2012151590.tif 000004
【図３】
2012151590.tif 000005